(57)【要約】【課題】書類を挟むクリップが表側に取り付けられたバインダーボードの裏側に、書類を収納するファイルを装着した書類収納用ファイル付きバインダーにおいて、バインダーボードの表側を上向きとして使用する際に、下向きとなるバインダーボードの裏側に装着したファイルから書類が脱落することを防止する。【解決手段】バインダーボード２の裏側に装着されたファイル４の開口４３となる二辺４１、４２の角部４８に、磁力によりファイル４の開口４３の角部４８を閉じる磁石手段５を配設した。磁石手段５によってファイル４の開口４３の角部４８が閉じられるので、バインダーボード２の表側を上向きとして使用する際に、下向きとなるバインダーボード２の裏側のファイル４の開口４３が、ファイル４内に収納された書類の重量によって垂れ下がるように開くことはなく、ファイル４から書類が脱落することを防止できる。【選択図】図１
2011245764.tif 000002
【特許請求の範囲】
【請求項１】
書類が載せられ、該書類に記入する際の下台となるバインダーボードと、
該バインダーボードの表側に設けられ、書類を挟んで保持するクリップと、
前記バインダーボードの裏側に装着され、長方形状の薄い袋体の隣り合う二辺が開口された書類収納用のファイルと、
該ファイルの前記二辺の角部に配設され、磁力により前記ファイルの開口の角部を閉じる磁石手段と
を備えたことを特徴とする書類収納用ファイル付きバインダー。
【請求項２】
前記ファイルが、前記バインダーボードの裏側に固定された長方形状の下シート部と、長方形状に形成され隣り合う二辺が前記下シート部に接続された上シート部とを有し、
前記磁石手段が、前記上シート部に固定された永久磁石又は鉄片から成る上側磁気吸着部と、前記バインダーボード及び前記下シート部の少なくとも一方に固定され、前記上側磁気吸着部に吸着される永久磁石又は鉄片から成る下側磁気吸着部とを有し、
前記上側磁気吸着部と前記下側磁気吸着部とにより、前記ファイルの開口の角部を閉じると共に前記ファイル内に収納された書類を挟んで保持する
請求項１に記載の書類収納用ファイル付きバインダー。
【請求項３】
前記ファイルの開口を成す前記上シート部の隣り合う二辺の少なくとも一方に、前記上シート部と前記下シート部との間に使用者の手指を案内するため、凹状又は凸状に形成された手掛かり部を設けた
請求項２に記載の書類収納用ファイル付きバインダー。
【請求項４】
前記上側磁気吸着部の前記手掛かり部側の縁と、前記下側磁気吸着部の前記手掛かり部側の縁とが、前記バインダーボードの垂直方向から見て重なっている
請求項３に記載の書類収納用ファイル付きバインダー。
【請求項５】
前記クリップを前記バインダーボードの表側の一辺に偏らせて設け、
かかるバインダーボードの表側において、前記クリップが設けられた側を上側とし、その左方を左側、右方を右側とすると、
前記ファイルの開口を成す二辺が、前記バインダーボードの表側から見て、上側と右側とに配置された
請求項１乃至４のいずれかに記載の書類収納用ファイル付きバインダー。
【発明の詳細な説明】
【技術分野】
【０００１】
本発明は、書類を挟むクリップが取り付けられたバインダーボードの裏側に、書類を収納するファイルを装着した書類収納用ファイル付きバインダーに関する。
【背景技術】
【０００２】
バインダーとして、書類が載せられその書類に筆記具で記入する際の下台となるバインダーボードに、書類を挟むクリップを設けたもの（所謂クリップボード）が知られてる。また、ファイルとして、長方形状の薄い袋体の隣り合う二辺が開口され、その隣り合う二辺の開口から書類を出し入れするもの（所謂フォルダファイル）が知られている。
【０００３】
本発明者は、上述したクリップボードとフォルダファイルとを合体させれば、営業活動等において便利なツールとなることを見出した。すなわち、本発明者は、表側に書類を挟むクリップが設けられたバインダボードの裏側に、長方形状の薄い袋体の隣り合う二辺が開口された書類収納用のファイルを装着して成る書類収納用ファイル付きバインダーを創案した。
【０００４】
かかる書類収納用ファイル付きバインダーにおいては、裏側のファイルには、営業先に関連する書類を幾枚か収納しておき、表側のバインダーのクリップには、その場で記入する書類を挟んでおく。そして、営業先にて、表側の書類の記入が終了したら、記入済みの書類を裏側のファイルに収納し、代わりにファイルから新たに記入すべき別の書類を取り出して表側のバインダーのクリップに挟む。
【０００５】
この書類収納用ファイル付きバインダーによれば、書類を収納するファイルと書類に記入する際に用いるバインダーとが一体となっているので、ファイルとバインダーとを別々に持ち運ぶ必要がない。また、ファイルとバインダーとが裏表の配置となっているので、営業員が営業先で立ったまま、書類を速やかにファイルとバインダーとの間で入れ替えることができる。
【０００６】
なお、従来技術として、背表紙に磁石が設けられたサブファイルを、メインファイルに設けた板金に吸着させ、着脱自在としたファイル文具（特許文献１）、ファイルに磁石を取り付け、その磁石によりファイルを冷蔵庫等の表面に吸着させるようにした書類保管装置（特許文献２）等が知られているが、いずれもファイルとバインダーとを合体させたものではなく、本願発明とは直接関係はない。
【先行技術文献】
【特許文献】
【０００７】
【特許文献１】特開２００３−３４１２７０号公報
【特許文献２】特開２００５−０５９４２１号公報
【発明の概要】
【発明が解決しようとする課題】
【０００８】
ところで、上述した書類収納用ファイル付きバインダーは、営業員が営業先で立ったまま使用する際、バインダボードの表側を上方に向けた状態で、左手でバインダーボードを把持し、右手で筆記具を掴み、立ち姿勢で、バインダボードの表側に載せられた書類に記入することになる。
【０００９】
しかし、このようにバインダーボードの表側を上方に向けると、バインダボードの裏側が下方に向いた状態となるため、バインダーボードの裏側に装着したファイルの開口が、ファイル内に収納した書類の重量によって垂れ下がるように開いてしまい、ファイルから書類が脱落し易い。
【００１０】
以上の事情を考慮して創案された本発明の目的は、バインダーボードの表側を上向きとして使用する際に、バインダーボードの裏側に装着したファイルから書類が脱落することを防止でき、使い勝手のよい書類格納用ファイル付きバインダーを提供することにある。
【課題を解決するための手段】
【００１１】
上記目的を達成するために請求項１に係る発明は、書類が載せられ、該書類に記入する際の下台となるバインダーボードと、該バインダーボードの表側に設けられ、書類を挟んで保持するクリップと、前記バインダーボードの裏側に装着され、長方形状の薄い袋体の隣り合う二辺が開口された書類収納用のファイルと、該ファイルの前記二辺の角部に配設され、磁力により前記ファイルの開口の角部を閉じる磁石手段とを備えたことを特徴とする書類格納用ファイル付きバインダーである。
【００１２】
請求項２に係る発明は、前記ファイルが、前記バインダーボードの裏側に固定された長方形状の下シート部と、長方形状に形成され隣り合う二辺が前記下シート部に接続された上シート部とを有し、前記磁石手段が、前記上シート部に固定された永久磁石又は鉄片から成る上側磁気吸着部と、前記バインダーボード及び前記下シート部の少なくとも一方に固定され、前記上側磁気吸着部に吸着される永久磁石又は鉄片から成る下側磁気吸着部とを有し、前記上側磁気吸着部と前記下側磁気吸着部とにより、前記ファイルの開口の角部を閉じると共に前記ファイル内に収納された書類を挟んで保持する請求項１に記載の書類収納用ファイル付きバインダーである。
【００１３】
請求項３に係る発明は、前記ファイルの開口を成す前記上シート部の隣り合う二辺の少なくとも一方に、前記上シート部と前記下シート部との間に使用者の手指を案内するため、凹状又は凸状に形成された手掛かり部を設けた請求項２に記載の書類収納用ファイル付きバインダーである。
【００１４】
請求項４に係る発明は、前記上側磁気吸着部の前記手掛かり部側の縁と、前記下側磁気吸着部の前記手掛かり部側の縁とが、前記バインダーボードの垂直方向から見て重なっている請求項３に記載の書類収納用ファイル付きバインダーである。
【００１５】
請求項５に係る発明は、前記クリップを前記バインダーボードの表側の一辺に偏らせて設け、かかるバインダーボードの表側において、前記クリップが設けられた側を上側とし、その左方を左側、右方を右側とすると、前記ファイルの開口を成す二辺が、前記バインダーボードの表側から見て、上側と右側とに配置された請求項１乃至４のいずれかに記載の書類収納用ファイル付きバインダーである。
【発明の効果】
【００１６】
本発明によれば次のような効果を発揮できる。
【００１７】
（１）請求項１に係る発明によれば、バインダーボード裏側に装着したファイルの開口の角部が磁石手段によって閉じられるので、バインダーボード表側を上向きとして使用する際に、下向きとなるバインダーボード裏側のファイルの開口がファイル内に収納された書類の重量によって垂れ下がるように開くことはなく、ファイルからの書類の脱落を防止できる。
【００１８】
（２）請求項２に係る発明によれば、磁石手段を構成する上側磁気吸着部と下側磁気吸着部とによって、ファイルの開口の角部を閉じると共にファイル内に収納された書類を挟んで保持するので、ファイルから書類が脱落することを的確に防止できる。
【００１９】
（３）請求項３に係る発明によれば、ファイルの上シート部に凹状又は凸状に形成された手掛かり部を設け、この手掛かり部によって使用者の手指をファイルの上シート部と下シート部との間に案内するようにしたので、上シート部と下シート部との間に案内された手指で上シート部を持ち上げることで、上側磁気吸着部が下側磁気吸着部から斜めに引き離され、ファイルの開口を容易に開くことができる。
【００２０】
（４）請求項４に係る発明によれば、上側磁気吸着部の手掛かり部側の縁と下側磁気吸着部の手掛かり部側の縁とが重なっているので、手指で上シート部を持ち上げて上側磁気吸着部を下側磁気吸着部から斜めに引き離す際、上側磁気吸着部と下側磁気吸着部との重合面積が徐々に小さくなって吸着力が弱まった後に上側磁気吸着部が下側磁気吸着部から離間する。よって、上シート部の上側磁気吸着部近傍における応力集中を回避でき、耐久性が向上する。
【００２１】
（５）請求項５に係る発明によれば、ファイルの開口を成す二辺がバインダーボード表側から見て上側と右側とに配置されているので、表側を上向きとしたバインダボードの左側を左手で把持した状態で、右手でファイルの開口を開閉操作でき、使い勝手がよい。
【図面の簡単な説明】
【００２２】
【図１】本発明の一実施形態に係る書類収納用ファイル付きバインダーの説明図であり、（ａ）は同バインダーの表側の斜視図、（ｂ）は同バインダーの裏側の斜視図である。
【図２】図１に示す書類収納用ファイル付きバインダーの裏側の平面図である。
【図３】図１、図２に示す書類収納用ファイル付きバインダーのファイルを開口させる様子を示す説明図であり、（ａ）はファイルの開口が閉じた状態を示す図２のIII−III線断面図、（ｂ）は開口を開く第１ステップを示す断面図、（ｃ）は開口を開く第２ステップを示す断面図、（ｄ）は開口が開いた様子を示す断面図である。
【図４】本発明の第１の変形実施形態に係る書類収納用ファイル付きバインダーの裏側の斜視図である。
【図５】図４に示す書類収納用ファイル付きバインダーの断面図である。
【図６】本発明の第２の変形実施形態に係る書類収納用ファイル付きバインダーの裏側の平面図である。
【図７】本発明の第３の変形実施形態に係る書類収納用ファイル付きバインダーの裏側の平面図である。
【発明を実施するための形態】
【００２３】
本発明の好適実施形態を添付図面に基づいて説明する。
【００２４】
図１（ａ）、図１（ｂ）、図２に示すように、本実施形態に係る書類収納用ファイル付きバインダー１は、書類が表側に載せられるバインダーボード２と、バインダーボード２の表側に設けられたクリップ３と、バインダーボード２の裏側に装着された書類収納用のファイル４と、ファイル４の開口の角部を磁力により閉じる磁石手段５とを備えている。
【００２５】
バインダーボード２は、ＡＢＳ樹脂やＰＶＣ樹脂等から長方形の板状に形成されたボード本体（例えばＡ４サイズ）２１と、ボード本体２１の四隅に装着され落下時等に四隅が損傷することを防止するため四隅を抱き込むようにＬ字状に形成された補強金具２２とを備えており、ボード本体２１の上に載せられた書類に筆記具で記入する際の下台となる。なお、補強金具２２はボード本体２１の四隅にカシメられている。
【００２６】
バインダーボード２の表側には、書類を挟んで保持するクリップ３が、バインダーボード２の一辺に偏らせて設けられている。クリップ３は、ボード本体２１に固定された金属製のベース３１と、金属ロッドを略コ字状に屈曲して成りその両端部がベース３１に回動可能に取り付けられた押えアーム３２と、押えアーム３２をベース３１に押し付けるように付勢するバネ（図示せず）とを有し、バネの付勢力によって押えアーム３２とベース３１との間に書類を挟持する。ベース３１には、略Ｕ字状に形成された引っ掛け金具３３が、ボード本体２１から突き出るように取り付けられている。
【００２７】
バインダーボード２の裏側には、書類収納用のファイル（例えばＡ４サイズ：バインダーボード２の用紙と同サイズ）４が装着されている。ファイル４は、長方形状の薄い袋体の隣り合う二辺４１、４２が開口された構造であり、その二辺４１、４２の開口４３を通じて書類を出し入れし、内部に幾枚（例えば１〜３０枚程度）かの書類を収納する。詳しくは、ファイル４は、バインダーボード２の裏側に固定された長方形状の下シート部４４と、長方形状に形成され隣り合う二辺４６、４７が下シート部４４に接続された上シート部４５とを有し、上シート部４５と下シート部４４との接続されない二辺４１、４２が開口４３となっている。
【００２８】
本実施形態のファイル４は、上シート部４５と下シート部４４とが接続された大きさのＰＰ樹脂製等の平坦なシートを半分に折り畳み、その折り畳み部の一辺４６に隣接する上シート部４５の一辺４７と下シート部４４の一辺４７とが溶着或いは接着等により接続されて構成され、上シート部４５と下シート部４４との接続されていない残りの二辺４１、４２が書類を出し入れするための開口４３となっている。また、本実施形態のファイル４には、内部を透視できる透明なクリアファイルが用いられているが、色付きのファイルを用いても構わない。
【００２９】
ファイル４の開口４３を成す二辺４１、４２の角部４８には、磁力によりファイル４の開口４３の角部４８を閉じる磁石手段５が配設されている。磁石手段５は、上シート部４５に固定された上側磁気吸着部５１と、バインダーボード２に固定された下側磁気吸着部５２とから成り、上側磁気吸着部５１と下側磁気吸着部５２とが磁気的に吸着することで、ファイル４の開口４３の角部４８を閉じると共にファイル４内に収納された書類を挟んで保持する。
【００３０】
図１（ｂ）、図２、図３（ａ）に示すように、上側磁気吸着部５１及び下側磁気吸着部５２は、共に高さの低い円柱状に形成された同寸法の永久磁石から成り、互いに吸着し合うように、Ｎ極とＳ極とが対向されている。上側磁気吸着部５１及び下側磁気吸着部５２は、互いに磁気的に吸着すればよいので、いずれか一方を永久磁石とし、他方を鉄片としてもよい。また、これら永久磁石、鉄片は、断面円状に限られず、断面角状でもよく、薄いシート状のものでも構わない。
【００３１】
図３（ａ）に示すように、上側磁気吸着部５１は、ファイル４の上シート部４５の外面に接着剤等で固定されている。下側磁気吸着部５２は、バインダーボード２の裏側に下側磁気吸着部５２の形状に合わせて形成された凹部２３に嵌め込まれており、そこに接着剤等で固定されている。なお、下側磁気吸着部５２は、バインダーボード２ではなく下シート部４４に固定（接着）されてもよい。この場合、上側磁気吸着部５１を図３（ｂ）〜（ｄ）に示すように下側磁気吸着部５２から引き離す際、下シート部４４が持ち上がらないようにするため、下シート部４４をバインダボード２にしっかりと固定（接着）しておく。すなわち、下側磁気吸着部５２は、バインダーボード２及び下シート部４４の少なくとも一方（両方でもよい）に固定（接着）される。
【００３２】
下側磁気吸着部５２の上面とバインダーボード２の裏側の面とは面一となっている。このため、バインダーボード２の裏側の面に貼付される裏表紙（裏紙）２４に皺が発生することはなく、美観が損なわれない。裏表紙２４は、バインダーボード２の裏側に、略全面に亘って貼付されており、この裏表紙２４によって下側磁気吸着部５２が覆われている。裏表紙２４の上には、ファイル４の下シート部４４が、接着剤や両面テープ等で固定されている。なお、裏表紙２４を省略してもよい。この場合、バインダーボード２の裏側の面に、直接、ファイル４の下シート部４４を接着剤や両面テープ等で固定する。
【００３３】
こうして、バインダーボード２の裏側に固定されたファイル４の上シート部４５の外面には、上側磁気吸着部５１が接着剤等で取り付けられている。上側磁気吸着部５１は、図２、図３（ａ）に示すように、バインダーボード２の垂直方向から見て、下側磁気吸着部５２と丁度重なるように、即ち上側磁気吸着部５１及び下側磁気吸着部５２の双方の永久磁石の対向面同士が完全に重合するように、取り付けられている。双方の永久磁石の対向面は、同形状且つ同寸法である。
【００３４】
図１（ｂ）、図２に示すように、ファイル４の開口４３を成す上シート部４５の隣り合う二辺４１、４２の一方（長辺４１）の中程には、上シート部４５と下シート部４４との間に使用者の手指を案内するため、凹状に形成された手掛かり部４９が設けられている。そして、図３（ａ）に示すように、上側磁気吸着部５１の手掛かり部４９側の縁５１ａと、下側磁気吸着部５２の手掛かり部４９側の縁５２ａとが、バインダーボード２の垂直方向から見て重なっている。これにより、上側磁気吸着部５１が図３（ｂ）〜（ｄ）に示すように図中の右方（手掛かり部４９の方向）に移動するに伴って、上側磁気吸着部５１と下側磁気吸着部５２との重合面積が徐々に小さくなる。
【００３５】
また、図１（ａ）、図１（ｂ）に示すように、バインダーボード２の表側に取り付けられるクリップ３は、バインダーボード２の表側の一辺に偏らせて設けられている。かかるバインダーボード２の表側において、クリップ３が偏らせて設けられた側を上側Ｕとし、その左方を左側Ｌ、右方を右側Ｒとすると、バインダボード２の裏側に装着されたファイル４の開口４３を成す二辺４１、４２は、バインダーボード２の表側から見て、上側Ｕと右側Ｒとに配置されている。これにより、表側を上向きとしたバインダボード２の左側Ｌを左手で把持すると、裏側のファイル４の開口４３を成す二辺４１、４２が右側Ｒと上側Ｕとに位置し、右手でファイル４の開閉操作し易い位置となる。
【００３６】
以上の構成からなる本実施形態に係る書類収納用ファイル付きバインダー１の使用方法（作用）を述べる。
【００３７】
上述した書類収納用ファイル付きバインダー１によれば、書類を複数枚収納するファイル４と書類に記入する際の下台として用いるバインダー２とが一体となっているので、ファイル４とバインダー２とを別々に持ち運ぶ必要がない。また、ファイル４とバインダー２とが裏表の配置となっているので、書類を速やかにファイル４とバインダー２との間で入れ替えることができる。
【００３８】
かかる書類収納用ファイル付きバインダー１は、営業員等（使用者）によって、営業先等で、主として使用者が立姿勢で使用される。この際、使用者は、バインダボード２の表側を上方に向けた状態で、左手でバインダーボード２の左側Ｌを把持し、右手で筆記具を掴み、立ち姿勢で、バインダボード２の表側に載せられた書類に記入することになる。
【００３９】
このように、バインダーボード２の表側を上向きとしてボード表面の書類に記入する際、下向きとなるバインダーボード２の裏側に装着したファイル４の開口４３がファイル４内に収納された書類の重量によって垂れ下がるように開き易くなる。本実施形態に係る書類収納用ファイル付きバインダー１によれば、ファイル４の開口４３の角部４８が磁石手段５によって閉じられているので、ファイル４の開口４３が開くことが防止される。よって、ファイル４からの書類の脱落を防止できる。
【００４０】
詳しくは、磁石手段５を、ファイル４の上シート部４５に固定した上側磁気吸着部５１と、下シート部４４やバインダーボード２に固定した下側磁気吸着部５２とから構成し、これら上側磁気吸着部５１と下側磁気吸着部５２との間に、ファイル４内に収納された書類を挟んで保持する。このように上側磁気吸着部５１と下側磁気吸着部５２とで書類を挟持するので、ファイル４からの書類の脱落を的確に防止できる。上側磁気吸着部５１と下側磁気吸着部５２との磁力を高めれば、書類を挟持する力が大きくなり、ファイル４内への書類の収納枚数を例えば３０枚程度（一例であり、限定されない）まで増やすことができる。
【００４１】
なお、裏表紙２４及び下シート部４４に、下側磁気吸着部５２（又は上側磁気吸着部５１）の位置及び形状に応じた穴を形成し、その穴から下側磁気吸着部５２を露出させてもよい。これにより、上側磁気吸着部５１と下側磁気吸着部５２との間で作用する磁力が裏表紙２４及び下シート部４４によって減衰されなくなるので、ファイル４に収納された書類を上側磁気吸着部５１と下側磁気吸着部５２とによって挟む力が強くなり、ファイル４内への書類の収納枚数を更に増やすことができる。この場合、下側磁気吸着部５２を、バインダボード２の凹部２３にしっかりと固定（接着）しておく必要がある。また、この場合も裏表紙２４は省略可能である。
【００４２】
また、この書類収納用ファイル付きバインダー１においては、ファイル４の上シート部４５に凹状に形成された手掛かり部４９を設け、この手掛かり部４９によって使用者の手指をファイル４の上シート部４５と下シート部４４との間に案内するようにしたので、上シート部４５と下シート部４４との間に案内された手指で上シート部４５を図３（ａ）〜（ｄ）に示すように持ち上げることで、上側磁気吸着部５１が下側磁気吸着部５２から斜めに引き離され、ファイル４の開口４３を容易に開くことができる。
【００４３】
この点、詳述すると、図３（ａ）〜（ｄ）に示すように、ファイル４は、図中において、下シート部４４の右端４４ａと上シート部４５の右端４５ａとが接続されており、下シート部４４の右端４４ａから下側磁気吸着部５２までの下シート部４４上の長さと、上シート部４５の右端４５ａから上側磁気吸着部５１までの上シート部４５上の長さとは等しい。よって、図２に示す手掛かり部４９により案内された使用者の手指で上シート部４５の中程を上方（図３矢印Ａ参照）に持ち上げると、その持ち上げ高さに応じて上側磁気吸着部５１が左方（手掛かり部４９の方向）に徐々に移動し、最終的には斜めに持ち上げられることになる。
【００４４】
加えて、図３（ａ）に示すように、上側磁気吸着部５１の図中の右側（手掛かり部４９側）の縁５１ａと下側磁気吸着部５２の図中の右側（手掛かり部４９側）の縁５２ａとが重なっているので、手指で上シート部４５の中程を徐々に持ち上げて上側磁気吸着部５１を徐々に左方に移動させると、図３（ｂ）、（ｃ）に示すように、上側磁気吸着部５１と下側磁気吸着部５２との重合面積が徐々に小さくなって吸着力が弱まった後、図３（ｄ）に示すように、上側磁気吸着部５１が下側磁気吸着部５２から斜めに離間する。この結果、上シート部４５の上側磁気吸着部５１近傍における応力集中を回避でき、耐久性が向上する。すなわち、上側磁気吸着部５１の近傍の上シート部４５に亀裂が発生し難くなる。
【００４５】
これに対して、例えば、図２において、使用者が上側磁気吸着部５１の近傍の上シート部４５（部分Ｘ）を手指で摘んでその部分Ｘを下シート部４４に対して垂直上方に持ち上げると、上側磁気吸着部５１が下側磁気吸着部５２に対して略垂直に持ち上げられることになり、上側磁気吸着部５１と下側磁気吸着部５２とが略完全に重合した状態における大きな磁力（吸着力）を上回る力で部分Ｘを持ち上げる必要がある。このため、部分Ｘにて応力集中が発生し、部分Ｘを持ち上げる操作、即ちファイル４を開閉する操作を繰り返すと、上シート部４５の上側磁気吸着部５１近傍（部分Ｘ）に亀裂が生じる等の問題が生じ得る。
【００４６】
他方、本実施形態では、図２に示す手掛かり部４９によって案内された使用者の手指で、図３（ａ）〜（ｄ）に示すように上シート部４５の中程を上方に持ち上げるようにしているので、上述したように、上側磁気吸着部５１と下側磁気吸着部５２との重合面積が徐々に小さくなって吸着力が弱まった後、上側磁気吸着部５１が下側磁気吸着部５２から斜めに離間する。よって、上シート部４５の上側磁気吸着部５１近傍における応力集中を回避でき、耐久性が向上するわけである。
【００４７】
また、本実施形態に係る書類収納用ファイル付きバインダー１においては、図１（ａ）、（ｂ）に示すように、ファイル４の開口４３を成す二辺４１、４２がバインダーボード２の表側から見て上側Ｕと右側Ｒとに配置されているので、表側を上向きとしたバインダボード２の左側Ｌを左手で把持した状態で、バインダボード２を手掛かり部４９が上方となるように略鉛直に立てることで、右手で容易にファイル４の開口４３を開閉操作でき、使い勝手がよい。
【００４８】
また、本実施形態では、ファイル４に透明なクリアファイルを用いているので、バインダーボード２の裏側を上向きにすることで、ファイル４に収納された一番上の書類を外部から視認することができ、営業先の担当者に説明するために見せる資料とすることもできる。
【００４９】
本発明の第１の変形実施形態に係る書類収納用ファイル付きバインダー１ａを図４、図５を用いて説明する。
【００５０】
この実施形態に係る書類収納用ファイル付きバインダー１ａは、図１〜図３を用いて既述した前実施形態の書類収納用ファイル付きバインダー１と基本的な構成は同一であり、磁石手段５の上側磁気吸着部５１が永久磁石である一方、下側磁気吸着部５２が鉄片５２ｂである点のみが前実施形態と異なる。よって、下側磁気吸着部５２（鉄片５２ｂ）についてのみ説明し、その他の構成については説明を省略する。
【００５１】
図４、図５に示すように、下側磁気吸着部５２は、平板状の鉄片５２ｂから成り、バインダーボード２の裏側に、ファイル４の開口４３を成す二辺４１、４２の角部４８に位置して、装着されている。この鉄片５２ｂは、バインダーボードの補強金具２２と一体的に形成されていて、補強金具２２と共にボード本体２１にカシメられ、強固に固定されている。なお、鉄片５２ｂを補強金具２２と別体とし、ボード本体２１に接着してもよい。この鉄片５２ｂの手掛かり部４９側（図５中の右側）の縁５２ａは、バインダーボード２の垂直方向から見て、上側磁気吸着部（永久磁石）５１の手掛かり部４９側（図５中の右側）の縁５１ａと重なっている。
【００５２】
この実施形態によれば、磁石手段５を構成する永久磁石の使用個数が前実施形態と比べて半分になるので、コストダウンを図ることができる。なお、この実施形態の基本的な作用効果は、前実施形態と同様なので、説明を省略する。
【００５３】
本発明の第２の変形実施形態に係る書類収納用ファイル付きバインダー１ｂを図６を用いて説明する。
【００５４】
図６に示す書類収納用ファイル付きバインダー１ｂは、図１〜図３を用いて既述した最初の実施形態の書類収納用ファイル付きバインダー１と基本的な構成は同一であり、凹状に形成された手掛かり部４９の近傍の上シート部４５に、使用者の手指を上シート部４５と下シート部４４との間に案内する意識付けのための手指マーク４９ｘを描いた点のみが最初の実施形態と異なる。
【００５５】
このように、手掛かり部４９の近傍の上シート部４５に手指マーク４９ｘを描くことで、使用者は、手指で上側磁気吸着部５１近傍の上シート部４５（部分Ｘ）を摘み上げるのではなく、手指を手掛かり部４９から上シート部４５と下シート部４４との間に差し入れることが促される。この結果、図３（ａ）〜（ｄ）に示すように、ファイル４の開口４３が適正に開かれることが確保され、上シート部４５の耐久性を高めることができる。なお、この実施形態の基本的な作用効果は、前実施形態と同様なので、説明を省略する。
【００５６】
本発明の第３の変形実施形態に係る書類収納用ファイル付きバインダー１ｃを図７を用いて説明する。
【００５７】
図７に示す書類収納用ファイル付きバインダー１ｃは、図１〜図３を用いて既述した最初の実施形態の書類収納用ファイル付きバインダー１と基本的な構成は同一であり、手掛かり部４９ｙを凹状ではなく凸状とした点のみが最初の実施形態と異なる。
【００５８】
このように、手掛かり部４９ｙを凸状とすることで、使用者は、右手の親指の腹等で凸状の手掛かり部４９ｙを引っ掛け、ファイル４の上シート部４５の一辺４１の中程を容易に持ち上げることができる。これにより、図３（ａ）〜（ｄ）に示すように、ファイル４の開口４３を容易に適正に開くことが確保される。すなわち、手掛かり部４９ｙを凸状とすることで、使用者は、手指で上側磁気吸着部５１近傍の上シート部４５（部分Ｘ）を摘み上げるのではなく、ファイル４の開口４３の一辺４１の中程に形成した手掛かり部４９ｙを持ち上げることが促され、開口４３を適正に開くことが確保される。手掛かり部４９ｙの凸状の部分は、この実施形態ではバインダーボード２の縁から突出しているが、突出していなくてもよい。なお、この実施形態の基本的な作用効果は、前実施形態と同様なので、説明を省略する。
【００５９】
本発明は上述した各実施形態に限定されるものではない。
【００６０】
例えば、手掛かり部４９は、図２において上シート部４５の上側Ｕの辺４２に設けてもよい。すなわち、手掛かり部４９は、ファイル４の開口４３を成す上シート部４５の隣り合う二辺４１、４２の少なくとも一方に設ければよい。
【００６１】
また、図４及び図５の実施形態と、図６の実施形態と、図７の実施家形態と、前段落で述べた実施形態とを適宜組み合わせてもよい。
【符号の説明】
【００６２】
１  書類収納用ファイル付きバインダー
２  バインダーボード
３  クリップ
４  ファイル
４１、４２  二辺
４６、４７  二辺
４３  開口
４４  下シート部
４５  上シート部
４８  角部
４９  手掛かり部
５  磁石手段
５１  上側磁気吸着部
５１ａ  縁
５２  下側磁気吸着部
５２ａ  縁
Ｕ  上側
Ｌ  左側
Ｒ  右側
【図１】
2011245764.tif 000003
【図２】
2011245764.tif 000004
【図３】
2011245764.tif 000005
【図４】
2011245764.tif 000006
【図５】
2011245764.tif 000007
【図６】
2011245764.tif 000008
【図７】
2011245764.tif 000009
【手続補正書】
【提出日】平成22年7月26日(2010.7.26)
【手続補正１】
【補正対象書類名】特許請求の範囲
【補正対象項目名】全文
【補正方法】変更
【補正の内容】
【特許請求の範囲】
【請求項１】
書類が載せられ、該書類に記入する際の下台となるバインダーボードと、
該バインダーボードの表側に設けられ、書類を挟んで保持するクリップと、
前記バインダーボードの裏側に装着され、長方形状の薄い袋体の隣り合う二辺が開口された書類収納用のファイルと、
該ファイルの前記二辺の角部に配設され、磁力により前記ファイルの開口の角部を閉じる磁石手段とを備え、
該磁石手段が、前記ファイル内に収納された書類を挟んで保持するように、前記ファイルの開口を成す二辺の角部に配置された
ことを特徴とする書類収納用ファイル付きバインダー。
【請求項２】
前記ファイルが、前記バインダーボードの裏側に固定された長方形状の下シート部と、長方形状に形成され隣り合う二辺が前記下シート部に接続された上シート部とを有し、
前記磁石手段が、前記上シート部に固定された永久磁石又は鉄片から成る上側磁気吸着部と、前記バインダーボード及び前記下シート部の少なくとも一方に固定され、前記上側磁気吸着部に吸着される永久磁石又は鉄片から成る下側磁気吸着部とを有し、
前記上側磁気吸着部と前記下側磁気吸着部とにより、前記ファイルの開口の角部を閉じると共に前記ファイル内に収納された書類を挟んで保持する
請求項１に記載の書類収納用ファイル付きバインダー。
【請求項３】
前記ファイルの開口を成す前記上シート部の隣り合う二辺の少なくとも一方に、前記上シート部と前記下シート部との間に使用者の手指を案内するため、凹状又は凸状に形成された手掛かり部を設けた
請求項２に記載の書類収納用ファイル付きバインダー。
【請求項４】
前記上側磁気吸着部の前記手掛かり部側の縁と、前記下側磁気吸着部の前記手掛かり部側の縁とが、前記バインダーボードの垂直方向から見て重なっている
請求項３に記載の書類収納用ファイル付きバインダー。
【請求項５】
前記クリップを前記バインダーボードの表側の一辺に偏らせて設け、
かかるバインダーボードの表側において、前記クリップが設けられた側を上側とし、その左方を左側、右方を右側とすると、
前記ファイルの開口を成す二辺が、前記バインダーボードの表側から見て、上側と右側とに配置された
請求項１乃至４のいずれかに記載の書類収納用ファイル付きバインダー。
【手続補正２】
【補正対象書類名】明細書
【補正対象項目名】００１１
【補正方法】変更
【補正の内容】
【００１１】
上記目的を達成するために請求項１に係る発明は、書類が載せられ、該書類に記入する際の下台となるバインダーボードと、該バインダーボードの表側に設けられ、書類を挟んで保持するクリップと、前記バインダーボードの裏側に装着され、長方形状の薄い袋体の隣り合う二辺が開口された書類収納用のファイルと、該ファイルの前記二辺の角部に配設され、磁力により前記ファイルの開口の角部を閉じる磁石手段とを備え、該磁石手段が、前記ファイル内に収納された書類を挟んで保持するように、前記ファイルの開口を成す二辺の角部に配置されたことを特徴とする書類収納用ファイル付きバインダーである。
【手続補正３】
【補正対象書類名】明細書
【補正対象項目名】００１７
【補正方法】変更
【補正の内容】
【００１７】
（１）請求項１に係る発明によれば、バインダーボード裏側に装着したファイルの開口の角部が磁石手段によって閉じられるので、バインダーボード表側を上向きとして使用する際に、下向きとなるバインダーボード裏側のファイルの開口がファイル内に収納された書類の重量によって垂れ下がるように開くことはなく、ファイルからの書類の脱落を防止できる。また、磁石手段がファイルの開口の角部を閉じると共にファイル内に収納された書類を挟んで保持するので、ファイルから書類が脱落することを的確に防止できる。
【手続補正書】
【提出日】平成22年9月16日(2010.9.16)
【手続補正１】
【補正対象書類名】特許請求の範囲
【補正対象項目名】全文
【補正方法】変更
【補正の内容】
【特許請求の範囲】
【請求項１】
書類が載せられ、該書類に記入する際の下台となるバインダーボードと、
該バインダーボードの表側に設けられ、書類を挟んで保持するクリップと、
前記バインダーボードの裏側に装着され、長方形状の薄い袋体の隣り合う二辺が開口された書類収納用のファイルと、
該ファイルの前記二辺の角部に配設され、磁力により前記ファイルの開口の角部を閉じる磁石手段とを備え、
前記ファイルが、前記バインダーボードの裏側に固定された長方形状の下シート部と、長方形状に形成され隣り合う二辺が前記下シート部に接続された上シート部とを有し、
前記磁石手段が、前記上シート部に固定された永久磁石又は鉄片から成る上側磁気吸着部と、前記バインダーボード及び前記下シート部の少なくとも一方に固定され、前記上側磁気吸着部に吸着される永久磁石又は鉄片から成る下側磁気吸着部とを有し、
前記上側磁気吸着部と前記下側磁気吸着部とにより、前記ファイルの開口の角部を閉じると共に前記ファイル内に収納された書類を挟んで保持する
ことを特徴とする書類収納用ファイル付きバインダー。
【請求項２】
前記ファイルが、透明なクリアファイルである
請求項１に記載の書類収納用ファイル付きバインダー。
【請求項３】
前記ファイルの開口を成す前記上シート部の隣り合う二辺の少なくとも一方に、前記上シート部と前記下シート部との間に使用者の手指を案内するため、凹状又は凸状に形成された手掛かり部を設けた
請求項１又は２に記載の書類収納用ファイル付きバインダー。
【請求項４】
前記上側磁気吸着部の前記手掛かり部側の縁と、前記下側磁気吸着部の前記手掛かり部側の縁とが、前記バインダーボードの垂直方向から見て重なっている
請求項３に記載の書類収納用ファイル付きバインダー。
【請求項５】
前記クリップを前記バインダーボードの表側の一辺に偏らせて設け、
かかるバインダーボードの表側において、前記クリップが設けられた側を上側とし、その左方を左側、右方を右側とすると、
前記ファイルの開口を成す二辺が、前記バインダーボードの表側から見て、上側と右側とに配置された
請求項１乃至４のいずれかに記載の書類収納用ファイル付きバインダー。
【手続補正２】
【補正対象書類名】明細書
【補正対象項目名】００１１
【補正方法】変更
【補正の内容】
【００１１】
上記目的を達成するために請求項１に係る発明は、書類が載せられ、該書類に記入する際の下台となるバインダーボードと、該バインダーボードの表側に設けられ、書類を挟んで保持するクリップと、前記バインダーボードの裏側に装着され、長方形状の薄い袋体の隣り合う二辺が開口された書類収納用のファイルと、該ファイルの前記二辺の角部に配設され、磁力により前記ファイルの開口の角部を閉じる磁石手段とを備え、前記ファイルが、前記バインダーボードの裏側に固定された長方形状の下シート部と、長方形状に形成され隣り合う二辺が前記下シート部に接続された上シート部とを有し、前記磁石手段が、前記上シート部に固定された永久磁石又は鉄片から成る上側磁気吸着部と、前記バインダーボード及び前記下シート部の少なくとも一方に固定され、前記上側磁気吸着部に吸着される永久磁石又は鉄片から成る下側磁気吸着部とを有し、前記上側磁気吸着部と前記下側磁気吸着部とにより、前記ファイルの開口の角部を閉じると共に前記ファイル内に収納された書類を挟んで保持することを特徴とする書類収納用ファイル付きバインダーである。
【手続補正３】
【補正対象書類名】明細書
【補正対象項目名】００１２
【補正方法】変更
【補正の内容】
【００１２】
請求項２に係る発明は、前記ファイルが、透明なクリアファイルである請求項１に記載の書類収納用ファイル付きバインダーである。
【手続補正４】
【補正対象書類名】明細書
【補正対象項目名】００１３
【補正方法】変更
【補正の内容】
【００１３】
請求項３に係る発明は、前記ファイルの開口を成す前記上シート部の隣り合う二辺の少なくとも一方に、前記上シート部と前記下シート部との間に使用者の手指を案内するため、凹状又は凸状に形成された手掛かり部を設けた請求項１又は２に記載の書類収納用ファイル付きバインダーである。
【手続補正５】
【補正対象書類名】明細書
【補正対象項目名】００１７
【補正方法】変更
【補正の内容】
【００１７】
（１）請求項１に係る発明によれば、バインダーボード裏側に装着したファイルの開口の角部が磁石手段によって閉じられるので、バインダーボード表側を上向きとして使用する際に、下向きとなるバインダーボード裏側のファイルの開口がファイル内に収納された書類の重量によって垂れ下がるように開くことはなく、ファイルからの書類の脱落を防止できる。詳しくは、磁石手段を構成する上側磁気吸着部と下側磁気吸着部とによって、ファイルの開口の角部を閉じると共にファイル内に収納された書類を挟んで保持するので、ファイルから書類が脱落することを的確に防止できる。
【手続補正６】
【補正対象書類名】明細書
【補正対象項目名】００１８
【補正方法】変更
【補正の内容】
【００１８】
（２）請求項２に係る発明によれば、ファイルに透明なクリアファイルを用いているので、バインダーボードの裏側を上向きにすることで、ファイルに収納された一番上の書類を外部から視認することができ、営業先の担当者に説明するために見せる資料とすることができる。
【手続補正７】
【補正対象書類名】図面
【補正対象項目名】図２
【補正方法】変更
【補正の内容】
【図２】
2011245764.tif 000010